(57)【要約】      （修正有） 【課題】本考案の高所用スプレー缶ノズル噴射装置を、地上より紐操作することにより、分単位のしかも環境にやさしい作業とすることができる。  【解決手段】つなぎ長竿の先端にスプレー缶を取り付け、一つには竿に支点をもちスプレー缶のノズルボタンに当接する操作棒の端を、また二つにはスプレー缶が納まる縁枠の内面がスプレー缶ノズルボタン上面に当接し、スプレー缶底側の縁枠を、紐で地上から引っ張ることによりノズル噴射を可能にする。高所噴射で伸張した紐を巻き取るために、巻き取りくり出しするリール装置を最上段竿の下端部に下向きに取り付け、リール位置から下向きの紐を錘を介して上方向に方向変換させ操作棒に結び、伸張した竿の紐をスムーズに巻き取り、また竿をコンパクトに収納することを可能にする。【選択図】図１
0003127948.tif 000002
【実用新案登録請求の範囲】
【請求項１】
つなぎ長竿の先端にスプレー缶を取り付け、スプレー缶のノズルボタンに当接する操作棒を竿の先端近くで竿を支点にして固定し、操作棒端に取り付けた紐を下方に引っ張ることにより、スプレー缶のノズルボタンを押し下げるようにしたことを特徴とする高所用スプレー缶ノズル噴射装置。
【請求項２】
つなぎ長竿の先端にスプレー缶を取り付け、スプレー缶が納まる縁枠の内面が、ノズルボタン上面に当接する縁枠の外面に、ノズル前後方向および水平直角方向の動きを間隙範囲内に規制する案内板を固定し、スプレー缶底側の縁枠に取り付けた紐を下方に引っ張ることにより、スプレー缶のノズルボタンを押し下げるようにしたことを特徴とする高所用スプレー缶ノズル噴射装置。
【請求項３】
多段伸縮可能な竿に、紐を巻き取りくり出しするリール装置を最上段竿の下端部に下向きに取り付け、リール位置から下向きの紐を錘を介して上方向に方向変換させ操作棒に結び、伸張した竿の紐をスムーズに巻き取り、また竿をコンパクトに収納することを特徴とする請求項１および２の巻取り装置。
【考案の詳細な説明】
【技術分野】
【０００１】
樹木の頂上の害虫などへ殺虫剤等を噴射せるものである。
【背景技術】
【０００２】
庭木など数メートルの樹木の消毒は、消毒液がその中を流れるノズルつきの管をスライド伸張して高所にノズル位置を確保して実施していた。
【考案の開示】
【考案が解決しようとする課題】
【０００３】
従来の課題を列挙する。まず、通常の庭木の消毒というレベルとしての課題は
（１）庭木の消毒をプロに頼む場合、通常一回に数千円以上の費用がかかる。これは再三必要に応じて実施できる金額ではない。
（２）消毒作業はプロに頼むにせよ自分でやるにせよちょっとした大掛かりな時間単位の作業となる。このことが、樹木ごとに異なる最も効果的な時期、たとえば第一代の卵や繭が産み付けられた時期を選んで、必要な箇所に最小量の消毒剤を使って最も効果的な消毒を行うという作業を困難にしている。
（３）スプレー圧を動力による場合および手動による場合のいずれの場合でも、風のないときでも、消毒範囲はコントロールできなくて近所の苦情となることがしばしばである。まして、風のある日には消毒作業は不可能と考えたほうがよいくらいである。消毒作業は頼まれる方からも頼む方からも敬遠されがちな作業となっている。
（４）消毒液の未使用残液の処置も厄介なこととなる。少量ならば紙にすわせて燃えるごみとして処理できるが、多量な場合には下水を汚染しないために、土にすわせると土が汚染されるというように、悪循環となる。
（５）従来の消毒作業は時間単位のしかも環境に厳しい作業である。
上記のような課題に対処すべく、苦肉の策として個人レベルで行うスプレー缶の消毒剤を使う場合の課題は
（５）必要な消毒剤としては一本５００円程度スプレー缶だけであるが、高所作業となる。脚立の足場の条件次第では大変危険な作業となる。
（６）スプレー缶のノズルの位置と人体とは腕一本の距離であるから風向き次第では、マスクをしても完全に薬害を免れることはできない。
（６）たかがスプレー缶一本を使った作業とはいえ、覚悟し構えて取り掛からなければならない作業である。
【課題を解決するための手段】
【０００４】
請求項１について述べる。
つなぎ長竿の先端にスプレー缶を取り付け、スプレー缶のノズルボタンに当接する操作棒を竿の先端近くで竿を支点にして固定し、操作棒端に取り付けた紐を下方に引っ張ることにより、スプレー缶のノズルボタンを押し下げるようにしたことを特徴とする高所用スプレー缶ノズル噴射装置による。
請求項２について述べる。  
つなぎ長竿の先端にスプレー缶を取り付け、スプレー缶が納まる縁枠の内面が、ノズルボタン上面に当接する縁枠の外面に、ノズル前後方向および水平直角方向の動きを間隙範囲内に規制する案内板を固定し、スプレー缶底側の縁枠に取り付けた紐を下方に引っ張ることにより、スプレー缶のノズルボタンを押し下げるようにしたことを特徴とする高所用スプレー缶ノズル噴射装置による。
請求項３について述べる。  
多段伸縮可能な竿に、紐を巻き取りくり出しするリール装置を最上段竿の下端部に下向きに取り付け、リール位置から下向きの紐を錘を介して上方向に方向変換させ操作棒に結び、伸張した竿の紐をスムーズに巻き取り、また竿をコンパクトに収納することを特徴とする請求項１および２の巻取り装置による。
【考案の効果】
【０００５】
装置のセットは数分でできるから、樹木毎に異なる消毒に最も効果的な時
期、たとえば第一代の卵や繭が産み付けられた状態を見つけたら、ただちに必要な箇所に最小量の消毒剤を使って最も効果的な消毒を行うことができる。２，３ｍの庭木ならば、１本あたり消毒剤が数十円、消毒時間数分程度で実施できる。
紐を引いてノズルから噴射する消毒剤の量は少々であるから、消毒散布剤
も最小限にとどめることができ、近所の苦情を招くこともない。
消毒液の未使用残液の処置で頭を悩まされることもない。
少々の風ならば、風上から散布すれば木々のあいだに均等に散布すること
に役立つ。
従来の時間単位の庭木消毒一式という認識から樹木一本分単位の環
境にやさしい消毒という認識へと変えることができる。
波及効果の一つとして、従来剪定作業は蜂や毛虫に負けながらの心労極ま
る作業であったが、たとえば剪定の数時間まえに本考案の装置により蜂は追い払い、毛虫は落としてしまうことができるから、いい環境での作業が可能となる。
【考案を実施するための最良の形態】
【０００６】
まず上記請求項１についてのべる。
つなぎ長竿の先端にスプレー缶を取り付け、最上段の竿の先端に操作棒を組み込む。操作棒は途中に直角下方向に足を設け下端にピン穴を設ける。
竿先端の上端面には、操作棒の竿の周方向の動きを規制するために、操作棒の板幅に左右合わせて１ミリ程度の間隙をもたせて、竿軸に関して対称に十ミリ程度深さの案内溝を切っておく。操作棒の足（軸）を、竿軸に一致させて案内溝に誘導していくとき、操作棒の下面と案内溝底の距離が１ミリ程度の所でピンを竿の直径を貫くようにピン穴に通し操作棒を固定する。操作棒の一端はバネを介して当該竿の上部に固定することにより、操作棒を竿軸方向に安定させる。これによって操作棒は、案内溝底の竿外周淵で支持され、バネ下方に若干傾いた状態で安定する。
もう一方の操作棒の反バネ側の途中にはスプレーボタンプッシュ用の突起を設け、操作棒の端には地上からの引き下げ用の紐を結び留める。突起のプッシュ面にはスプレーボタンのよりスムーズなプッシュを可能にするため、円弧などの曲線を設けておく。棒端に取り付けた紐を下方に引っ張ることにより、スプレー缶のノズルボタンを押し下げるようにした。
次に上記請求項２についてのべる。
つなぎ長竿の先端にスプレー缶を取り付ける。
まず、スプレー缶全体の輪郭を持つ輪郭枠を形成する。この輪郭枠の内面をスプレーボタン上面に、輪郭枠の成す輪郭枠面がノズル軸とスプレー缶軸（中心軸線）の成す平面とが斜めに交差するように当接させ、さらに当接せる輪郭枠の外面に、スプレー缶の頂部と隙間嵌合する案内板を固定し、輪郭枠のスプレー缶軸周りの動きを間隙範囲に規制し、スプレー缶底側の輪郭枠に取り付けた紐を下方に引っ張ることにより、スプレー缶のノズルボタンを押し下げるようにした。
請求項３について述べる。
これらの多段に伸張した紐を、通常の継ぎ釣竿のように最上段竿に収めるために、通常のリールを反転してその方向を下方向に向け、最上段竿の下端側に取り付けたリールによって巻き取る場合、たとえば１．３ｍの竿３本つなぎの場合、中間段竿と下段竿部分の紐はリール位置から下向きの紐と、錘を介して上方向に方向変換させ操作棒に結ぶ紐の２本の状態となるが、これらの紐の全長は１．３ｘ２ｘ２＝５．２で、５．２ｍとなる。これをスムーズにリールで巻き取る必要がある。
巻き取りは基本的には次ぎのようにして最も手早くスムーズに行うことができる。まず、竿全体を倒し地面におく。次に、紐折り返し箇所の開閉式留めリングから紐を外して地面におく。このとき紐に通したドーナツ形の錘は紐の折り返し点の地面にあることになるが、このときリール位置から下向きの紐と錘を介して上方向に方向変換させ操作棒に向かう紐がねじれ無いようにその錘を中心に左右に仕分けをしておく。ここで、最上段竿だけを残して他の竿をすべて取り除く。最上段竿を水平に持ち上げると、錘を基点にして操作棒に向かう紐は大きく、リール位置から下向きの紐は小さく垂れ下がるから、さらに竿を操作棒に向かう紐
から離せば、巻き取り完了まで２本の紐が一緒に巻き取られることはなくなる。ここで巻取りを開始する。リールの巻き取りハンドルをゆっくり回していくと、紐は巻き取られながら、同時にドーナツ形の錘はリールの方に引き寄せられながら可動支点となって地面をスライドする。当然、リール位置から下向きの紐には
巻き取りによるねじれが生じるが、ねじれはドーナツ形の中空の中を通過して、ねじれ取りのために挿入したユニバーサルジョイントに伝達されて解放される。これが、紐を最後まで完全にスムーズに巻き取ることができる理由である。
上述のように、スムーズな巻取りができるためのポイントは、一つには巻き取り開始から終了まで、操作棒に向かう紐が巻き取られることがないように、リール位置から下向きの紐ときちんと仕分けされていること、二つにはリール位置から下向きの紐に生じるねじれがドーナツ形の中空の中を通過して、ねじれ取りのためのユニバーサルジョイントに伝達されて解放されることである。
この二つのポイントを外さなければ、２本、３本など複数つなぎの稼動の竿の状態のままで、つなぎの竿を外すことなく斜めに倒しながら紐を巻き取ることができる。ただし、注意すべきことは、途中錘が宙吊り状態にならないことである。錘にはリール位置から下向きの紐と操作棒に向かう紐の両紐をねじらせる運動の傾向が強く、紐がもつれないことは錘によって保障されているが、途中手でねじれを解放してやる必要がでてくるからである。
【実施例】
【０００７】
以下、添付図面にしたがって、実施例を説明する。
まず、請求項１の実施例を述べる。
図１は本考案の高所用スプレー缶ノズル噴射装置を稼動するために３本つぎの竿をセットして地面に立てかけた一つの状態である。図１において、１はスプレー部、２はリール部、３は最上段（１段目）竿、４は中間段（２段目）竿、５は最下段（３段目）竿、６はスプレーボタンを押すために、操作棒の反バネ側の端部を地上より引っ張り下げるための紐、７は本装置稼動時に紐の折り返し箇所で紐を通過可能に固定し、紐のたるみを巻き取るための開閉式留めリングで、２段目以降の各竿の下端部に設ける（２段目竿の開閉式留めリングは図示省略）、１５は地面である。
図２は請求項１のスプレー部１の拡大図である。図２において、８は最上段の竿のほぼ先端部に組み込んだ操作棒、９はピン軸、１０はピン穴、１１は常時操作棒を安定させるために操作棒の一方の端に取り付けて、下方に締め付けておくためのバネで、バネの他端は操作棒下方の最上段の竿の上部に取り付けたねじ付きリング１３に固定している、１２はバネの端かかりを引っ掛けるために、操作棒の一方の端に設けた穴、１３はバネの端かかりを竿側に引っ掛けるために、最上段竿にねじ込んだネジつきリング、１４は操作棒の竿周方向の動きを規制するために、操作棒の板幅に左右合わせて１ミリ程度の間隙をもたせて、竿軸に関して対称に設けた十ミリ程度深さの案内溝の側面、１４−ａは案内溝の底面、１６は反バネ側の操作棒の途中に設けたスプレーボタンプッシュ突起でスプレーボタンとの接触部には円弧などの曲線を設けている、１７はスプレーボタンのノズル、１８は反バネ側の操作棒の端部にて、紐６を通し結びとめするための穴、１９はスプレー缶を竿に周方向に縛り付けるためのバンド、２０は竿にねじ込んで、スプレー缶をその軸方向に支持するためのネジつきリング、２１は市販のスプレー缶に備わっているスプレーボタンの案内ピース、２２はスプレー缶全体である。
図３は請求項１のスプレー部の上面図である。
次に、請求項２の実施例を述べる。図４は請求項２のスプレー部の拡大図である。図４において、３２はスプレー缶が納まる縁枠、３３は縁枠の内面がスプレーボタンの上面に当接せる縁枠の外面に固定した、スプレー缶の頂部と隙間嵌合する案内板である。
図５は請求項２のスプレー部の上面図である。
図６はリール部２の拡大図であり、稼動のために伸ばしていた２段目竿、３段目竿部分の紐を１段目竿のリールにまき収めた状態を示している。図６において、２３はリール全体、２４はリールを竿に取り付けるための締め付けバンド、２５は紐を巻き取るためのハンドル、２６は紐の巻き取り繰り出しドラム、２７はドラムの繰り出し回転防止制御ハンドル、２８は紐を巻き取りながらドラムの軸方向に一様に振り分けるための案内部分リング、２９はドラムの繰り出し回転防止制御ハンドル２７を効かせて繰り出し回転をロックした状態で、緩めることでドラムのみの回転を自由にするディスク、３０は紐をリールで巻き取るときに紐に生じるねじれを解放するための軸方向に回転自由なユニバーサルジョイント、３１は紐の巻き取りにおいて、可動支点となって地面をスライドしながら紐のねじれをユニバーサルジョイントに伝達するドーナツ形の錘である。
【０００８】
つなぎ竿のつなぎ部はパイプ対パイプの差込形式が基本である。被挿入側のパイプ内での挿入側のパイプの留めは、請求項１の実施例で再三示したように、たとえばねじ付きリング１３などの竿を貫通したねじ部によって容易に達成することができる。差し込み部に少々のクリアランスがあっても、ねじ部にかかる力は１〜２ｋｇ程度の自重であり、また竿が斜めになった場合でも差し込み部のパイプの壁面の摩擦によって竿が抜けるようなことはない。
操作上、本装置に重要なことの一つは装置の重量が嵩張らないことであるが、装置がある程度重くなっても、その影響を最小限にすることができる。
表１は約３ｍの試作装置の諸元、表２は試作装置の竿長のみを４ｍに比例拡張した場合の諸元を示すものである。
【０００９】
【表１】
0003127948.tif 000003
【００１０】
【表２】
0003127948.tif 000004
表１に示すように、試作装置は長さ約３ｍ、重量約１．８ｋｇであり、稼動時たとえば鉛直より３０°傾けた場合装置を支えるために１．４ｋｇ程度の水平力が必要になる。すなわち装置を宙に持って、紐の引っ張り操作を行おうとすると、装置の自重１．８ｋｇと水平力１．４ｋｇを同時に支えることが必要になり不安定な状態となる。これは竿を地面に着けて紐操作を行うようにすることで容易に解決できる。すなわち、ノズル噴射の高さを操作者自身の身長の利用でカバーしようとするのは賢明なことではなく、竿を継ぎ足してでも高さを確保し地面において操作するのがベストである。表２はこのことに量的に確証を与えるものである。竿長さを３ｍから４ｍに長くしても、装置重量は２００ｇ程度増えるだけで
運搬移動の便に大した変化はなく、また竿の傾きを支えるべき水平力も、たとえば鉛直との３０°の傾きの場合１．４ｋｇから１．９ｋｇに増えるが、竿を地面で支えて操作すれば、問題になるような力ではない。
装置のセットは基本的には竿を差し込むだけであるから、消毒対象の樹木の近くでセットすればよい。少々の移動はそのままできる。それなりの移動が必要なときには部分あるいは全体を臨機応変収めて対応できる。ここで力を発揮するのが紐の巻取りが手早くスムーズに完了できる本考案の請求項３の巻取り装置である。このように一匹の毛虫が地面に落ちている情報を掴んだら、数分単位の作業で適切な消毒が完了することになるのである。
【図面の簡単な説明】
【００１１】
【図１】本考案の高所用スプレー缶ノズル噴射装置を使用するために３本つぎの場合をセットして地面に立てかけた一つの状態である。
【図２】請求項１のスプレー部の拡大図である。
【図３】請求項１のスプレー部の上面図である。
【図４】請求項２のスプレー部の拡大図である。
【図５】請求項２のスプレー部の上面図である。
【図６】リール部の拡大図であり、稼動のために伸ばしていた２段目竿、３段目竿部分の紐を１段目竿のリールにまき収め地面に立てかけた状態を示す図である。
【符号の説明】
【００１２】
１  スプレー部
２  リール部
３  最上段（１段目）竿
４  中間段（２段目）竿
５  最下段（３段目）竿
６  操作棒の反バネ側の端部を地上より引っ張り下げるための紐
７  本装置稼動時に紐の折り返し箇所で紐を通過可能に固定し、紐のたるみをリールに巻き取るための開閉式留めリング
１５  地面
８  最上段の竿のほぼ先端部に組み込んだ操作棒
９  ピン軸
１０  ピン穴
１１  操作棒の一方の端に取り付けて、下方に締め付けておくためのバネ
１２  バネの端かかりを引っ掛けるために、操作棒の一方の端に設けた穴
１３  バネの端かかりを竿側に引っ掛けるために、最上段竿にねじ込んだネジつきリング
１４  操作棒の板幅に左右合わせて１ミリ程度の間隙をもたせて、竿軸に関して対称に設けた十ミリ程度深さの案内溝の側面
１４―a  案内溝の底面
１６  反バネ側の操作棒の途中に設けたスプレーボタンプッシュ突起
１７  スプレーボタンのノズル
１８  反バネ側の操作棒の端部にて、紐６を通し結びとめするための穴
１９  スプレー缶締め付けバンド
２０  スプレー缶をその軸方向に支持するためのネジつきリング
２１  市販のスプレー缶に備わっているスプレーボタンの案内ピース
２２  スプレー缶全体
３２  スプレー缶が納まる縁枠
３３  縁枠の内面がスプレーボタンの上面に当接せる縁枠の外面に固定した、スプレー缶の頂部と隙間嵌合する案内板
２３  リール全体
２４  リール締め付けバンド
２５  紐巻き取りハンドル
２６  紐の巻き取り繰り出しドラム
２７  ドラムの繰り出し防止制御ハンドル
２８  紐を巻き取りながらドラムの軸方向に一様に振り分けるための案内部分リング
２９  ドラムの繰り出し回転をロックした状態で、緩めることでドラムのみの回転を自由にするディスク
３０  紐に生じるねじれを解放するための軸方向に回転自由なユニバーサルジョイント
３１  紐の巻き取りにおいて、可動支点となって地面をスライドしながら紐のねじれをユニバーサルジョイントに伝達するドーナツ形の錘。
【図１】
0003127948.tif 000005
【図２】
0003127948.tif 000006
【図３】
0003127948.tif 000007
【図４】
0003127948.tif 000008
【図５】
0003127948.tif 000009
【図６】
0003127948.tif 000010
【手続補正書】
【提出日】平成18年10月18日(2006.10.18)
【手続補正１】
【補正対象書類名】実用新案登録請求の範囲
【補正対象項目名】請求項３
【補正方法】変更
【補正の内容】
【請求項３】
多段伸縮可能な竿に、紐を巻き取りくり出しするリール装置を最上段竿の下端部に下向きに取り付け、リール位置から下向きの紐を錘を介して上方向に方向変換させ操作棒あるいは縁枠に結び、伸張した竿の紐をスムーズに巻き取り、また竿をコンパクトに収納することを特徴とする巻き取り装置を備えた請求項１または２記載の高所用スプレー缶ノズル噴射装置。